(57)【要約】【課題】隅肉部を保持することでブラケットの強度を低下させることなく、保護カバーをブラケットに容易に密着させることができるポンプ装置を提供する。【解決手段】ポンプ装置は、回転軸１と、回転軸１に固定された羽根車３と、羽根車３を収容するポンプケーシング５と、羽根車３を回転させるモータ７と、モータ７とポンプケーシング５とを接続するブラケット４０と、ブラケット４０に形成された開口４０ａを覆う保護カバー４５とを備える。ブラケット４０は、保護カバー４５の端部を支持する台座５５を有する。【選択図】図２
2017089569.tif 000002
【特許請求の範囲】
【請求項１】
回転軸と、
前記回転軸に固定された羽根車と、
前記羽根車を収容するポンプケーシングと、
前記羽根車を回転させるモータと、
前記モータと前記ポンプケーシングとを接続するブラケットと、
前記ブラケットに形成された開口を覆う保護カバーとを備え、
前記ブラケットは、前記保護カバーの端部を支持する台座を有することを特徴とするポンプ装置。
【請求項２】
前記ブラケットは、前記開口を有する胴体と、該胴体から外側に張り出したフランジ部と、前記胴体と前記フランジ部との接続部に形成された隅肉部とを有しており、
前記台座は、前記フランジ部から前記開口に向かって軸方向に延びており、
前記台座の軸方向の長さは、前記隅肉部の軸方向の長さよりも大きいことを特徴とする請求項１に記載のポンプ装置。
【請求項３】
前記台座は、前記保護カバーの端部を支持する端面を有しており、前記端面は前記胴体の外面に直交することを特徴とする請求項２に記載のポンプ装置。
【発明の詳細な説明】
【技術分野】
【０００１】
本発明は、ポンプ装置に関し、特に、モータとポンプケーシングとを接続するブラケットを備えたポンプ装置に関する。
【背景技術】
【０００２】
図５は、モータとポンプケーシングとを接続する従来のブラケットを示す斜視図である。ブラケット１０２は、円筒状の胴体１０５と、胴体１０５の端部から外側に張り出したフランジ部１０６とを有している。フランジ部１０６と胴体１０５との接続部には隅肉部１０７が形成されている。胴体１０５には開口１０２ａが形成されており、作業者はこの開口１０２ａを通じてポンプ装置の内部にアクセスすることが可能となっている。
【０００３】
通常、ブラケット１０２の開口１０２ａは保護カバー１１０で覆われている。図６に示すように、ねじ１１２を、保護カバー１１０の通孔（図示せず）を通じてねじ穴１０２ｂに螺合することによって、保護カバー１１０はブラケット１０２に取り付けられる。
【先行技術文献】
【特許文献】
【０００４】
【特許文献１】実開平６−６７８９６号公報
【発明の概要】
【発明が解決しようとする課題】
【０００５】
しかしながら、保護カバー１１０を取り付けるとき、保護カバー１１０の端部が隅肉部１０７に接触し、隅肉部１０７が保護カバー１１０とブラケット１０２との密着を阻害する。このため、図６に示すように、ねじ１１２を締め付けても保護カバー１１０とブラケット１０２との間に隙間が形成されてしまい、ポンプ装置を屋外に設置した場合などに、外部から雨水などの液体が開口１０２ａを通ってブラケット１０２内に浸入するおそれがある。
【０００６】
図７に示すように、隅肉部がなければ、保護カバー１１０をブラケット１０２に密着させることはできる。しかしながら、胴体１０５とフランジ部１０６との間に隅肉部が全く形成されないように鋳造でブラケット１０２を製作することは技術的に困難である。ブラケット１０２を鋳造で製作した後に、グラインダによって隅肉部を削り取ることも考えられるが、ポンプの運転時に、胴体１０５とフランジ部１０６との接続部に応力が集中するため、ポンプを長期間運転した場合に、ブラケット１０２が破損する可能性もあり、図７に示すブラケット１０２の形状は好ましい形状ではない。さらに、グラインダにより隅肉部を切削する範囲は広いため、切削作業に時間がかかり、製造コストが上がる。
【０００７】
図８に示すように、保護カバー１１０の端部が隅肉部１０７に接触しないように、保護カバー１１０を胴体１０５に取り付けることも考えられる。しかしながら、保護カバー１１０は、胴体１０５の外周面の形状に沿うように一枚板を曲げた形状を有しているため、手で持ちにくく、また、重量物である場合、保護カバー１１０を胴体１０５に取り付けるときに、保護カバー１１０の通孔をブラケット１０２のねじ穴１０２ｂと一直線に並べて、ねじ１１２をねじ穴１０２ｂに螺合する作業は困難となる。しかも、鋳造によって製作された隅肉部１０７の大きさはブラケットごとに変わる可能性がある。このため、保護カバー１１０の端部がフランジ部１０６に接触しない状態で、ねじ穴１０２ｂの位置を決定することは難しい。
【０００８】
本発明は、上述した事情に鑑みてなされたものであり、隅肉部を保持することでブラケットの強度を低下させることなく、保護カバーをブラケットに容易に密着させることができるポンプ装置を提供することを目的とする。
【課題を解決するための手段】
【０００９】
上述した目的を達成するために、本発明の一態様は、回転軸と、前記回転軸に固定された羽根車と、前記羽根車を収容するポンプケーシングと、前記羽根車を回転させるモータと、前記モータと前記ポンプケーシングとを接続するブラケットと、前記ブラケットに形成された開口を覆う保護カバーとを備え、前記ブラケットは、前記保護カバーの端部を支持する台座を有することを特徴とするポンプ装置である。
【００１０】
本発明の好ましい態様は、前記ブラケットは、前記開口を有する胴体と、該胴体から外側に張り出したフランジ部と、前記胴体と前記フランジ部との接続部に形成された隅肉部とを有しており、前記台座は、前記フランジ部から前記開口に向かって軸方向に延びており、前記台座の軸方向の長さは、前記隅肉部の軸方向の長さよりも大きいことを特徴とする。
本発明の好ましい態様は、前記台座は、前記保護カバーの端部を支持する端面を有しており、前記端面は前記胴体の外面に直交することを特徴とする。
【発明の効果】
【００１１】
保護カバーは台座に支えられるので、保護カバーをねじなどの締結具で容易にブラケットに固定することができる。さらに、台座は、隅肉部が保護カバーとブラケットとの接触に与える影響を排除することができるので、隅肉部を切削する必要はなく、ブラケットの機械的強度を確保することができる。
【図面の簡単な説明】
【００１２】
【図１】本発明の一実施形態に係るポンプ装置を示す断面図である。
【図２】図１に示すポンプ装置の外観を示す模式図である。
【図３】ブラケットを示す斜視図である。
【図４】ブラケットおよび保護カバーの縦断面図である。
【図５】従来のブラケットを示す斜視図である。
【図６】ブラケットに取り付けられた保護カバーの一例を示す断面図である。
【図７】ブラケットに取り付けられた保護カバーの他の例を示す断面図である。
【図８】ブラケットに取り付けられた保護カバーのさらに他の例を示す断面図である。
【発明を実施するための形態】
【００１３】
以下、本発明の実施形態について図面を参照して説明する。
図１は、本発明の一実施形態に係るポンプ装置を示す断面図である。図１に示すように、ポンプ装置は、回転軸であるポンプ軸１と、ポンプ軸１に固定された羽根車３と、羽根車３を収容するポンプケーシング５と、モータ軸６を有するモータ７と、モータ軸６とポンプ軸１とを連結する軸継手２０と、高圧の液体の漏洩を防止するための軸封装置３０とを備えている。ポンプケーシング５は、吸込口１２と吐出口１３とを有している。本実施形態では、ポンプ軸１およびモータ軸６は鉛直に配置されている。
【００１４】
モータ７が駆動されると、モータ７の回転は、モータ軸６から軸継手２０を介してポンプ軸１に伝達され、ポンプ軸１および羽根車３が回転する。羽根車３が回転すると、液体は吸込口１２を通ってポンプケーシング５内に流入し、羽根車３の回転に伴って昇圧される。昇圧された液体は、吐出口１３から吐き出される。
【００１５】
軸継手２０は、モータ軸６に固定されたモータ側フランジ２１と、ポンプ軸１に固定されたポンプ側フランジ２２と、モータ側フランジ２１とポンプ側フランジ２２との間に配置されたスペーサ２３とを備えている。モータ側フランジ２１は、ねじ２４によってモータ軸６に取り外し可能に固定され、ポンプ側フランジ２２は、ねじ２５によってポンプ軸１に取り外し可能に固定されている。スペーサ２３は、複数のボルト２６によってモータ側フランジ２１とポンプ側フランジ２２に取り外し可能に連結されている。モータ軸６の端部６ａとポンプ軸１の端部１ａとが離れた状態でモータ軸６とポンプ軸１とを連結する軸継手２０は、スペーサカップリングとも呼ばれる。
【００１６】
モータ７とポンプケーシング５との間にはブラケット４０が配置されており、ブラケット４０はポンプケーシング５とモータ７とを接続している。軸継手２０、モータ軸６の端部６ａ、およびポンプ軸１の端部１ａは、ブラケット４０内に位置している。
【００１７】
図２は、図１に示すポンプ装置の外観を示す模式図である。ブラケット４０には開口４０ａが形成されている。この開口４０ａは、作業員が軸継手２０および軸封装置３０にアクセス可能とするために設けられている。通常、開口４０ａは保護カバー４５で覆われている。保護カバー４５は、複数のねじ５０によってブラケット４０に取り外し可能に固定されている。本実施形態では、保護カバー４５を固定するために２つのねじ５０が使用されているが、ねじ５０の数はこの実施形態に限定されない。
【００１８】
図３はブラケット４０を示す斜視図である。ブラケット４０は、ポンプ軸１の軸方向に延びる胴体４６と、胴体４６の端部から外側に張り出したフランジ部４２とを備えている。開口４０ａは胴体４６に形成されている。フランジ部４２はポンプケーシング５に連結されている。保護カバー４５の内面は、胴体４６の外面の形状に沿った形状を有している。胴体４６には、ねじ５０（図２参照）が螺合されるねじ穴４０ｂが形成されており、保護カバー４５にはねじ５０を通すための通孔（図示せず）が形成されている。ねじ穴４０ｂは、開口４０ａの両側に位置している。本実施形態では、胴体４６は円筒状であるが、他の形状を有してもよい。
【００１９】
ブラケット４０は、フランジ部４２と胴体４６との接続部に形成された隅肉部４７をさらに備えている。隅肉部４７は胴体４６の外面の周方向に沿って胴体４６の全周に亘って延びている。隅肉部４７は、フランジ部４２と胴体４６との接続部に生じる応力集中を緩和することができる。
【００２０】
図２および図３に示すように、ブラケット４０は、保護カバー４５の端部に接触する２つの台座５５を備えている。本実施形態では、台座５５はブラケット４０の開口４０ａよりも下方に位置しており、保護カバー４５の下端は台座５５の上面に接触している。台座５５は、胴体４６およびフランジ部４２の両方に接続されている。すなわち、各台座５５は胴体４６の外面から外側に突出しており、さらに、台座５５はフランジ部４２から開口４０ａに向かって軸方向に（図３に示す例では上方に）延びている。台座５５は、保護カバー４５の端部を支持する端面５５ａを有している。
【００２１】
図４は、ブラケット４０および保護カバー４５の縦断面図である。図４に示すように、台座５５の軸方向の長さ（すなわちフランジ部４２からの台座５５の高さ）ｈ１は、隅肉部４７の軸方向の長さ（すなわちフランジ部４２からの隅肉部４７の高さ）ｈ２よりも大きい。台座５５の端面５５ａは、軸方向に対して垂直な面であり、本実施形態では端面５５ａは水平面である。保護カバー４５をブラケット４０に取り付けるとき、保護カバー４５の下端は台座５５の端面５５ａ上に置かれ、この状態でねじ５０がねじ穴４０ｂに螺合される。
【００２２】
本実施形態では、図３に示すように２つの台座５５が設けられているが、台座５５の数はこの実施形態に限定されない。台座５５の形状によっては、１つの台座５５を設けてもよく、または３つ以上の台座５５を設けてもよい。
【００２３】
本実施形態では、台座５５を備えたブラケット４０は鋳造で製作される。ブラケット４０を鋳造で製作した後、台座５５の端面５５ａと胴体４６の外面との接続部に形成され得る隅肉をグラインダで削ることによって、端面５５ａを胴体４６の外面に直交させることが好ましい。台座５５の軸方向の長さｈ１は隅肉部４７の軸方向の長さｈ２よりも大きいので、台座５５の端面５５ａと胴体４６の外面との接続部に形成され得る隅肉をグラインダで削っても隅肉部４７に影響を与えず、ブラケット４０の強度を低下させることはない。また、グラインダで切削する箇所は、台座５５の端面５５ａと胴体４６の外面との接続部だけであるので、切削作業を短時間で行うことができる。
【００２４】
ねじ穴４０ｂの位置は、台座５５の端面５５ａからの距離によって決定することができる。台座５５の軸方向の長さｈ１は隅肉部４７の軸方向の長さｈ２よりも大きいので、ねじ穴４０ｂの位置が一旦定まれば、隅肉部４７の存在に影響されることなく、ねじ５０で保護カバー４５をブラケット４０に密着させることができる。
【００２５】
さらに、本実施形態によれば、保護カバー４５の取り付け作業時に、保護カバー４５を台座５５に支持させることができるので、保護カバー４５の姿勢が安定する。したがって、ねじ５０を保護カバー４５の通孔（図示せず）を通じてねじ穴４０ｂに容易に螺合させることができる。
【００２６】
本実施形態において、ブラケット４０の胴体４６には１つの開口４０ａが形成されているが、胴体４６には複数の開口が形成されてもよい。この場合、開口の数に対応する数の保護カバーが設けられ、各開口は各保護カバーによって閉じられる。
【００２７】
上述したポンプ装置は、１つの羽根車３のみを有した単段ポンプ装置であるが、本発明は、複数の羽根車を有する多段ポンプ装置にも同様に適用することができる。さらに、上述した実施形態では、ポンプケーシング５およびモータ７がブラケット４０を介して鉛直方向に接続されたポンプ装置について説明したが、本発明は、ポンプケーシング５およびモータ７がブラケット４０を介して水平方向に接続されたポンプ装置にも同様に適用することができる。
【００２８】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。したがって、本発明は、記載された実施形態に限定されることはなく、特許請求の範囲によって定義される技術的思想に従った最も広い範囲に解釈されるものである。
【符号の説明】
【００２９】
１      ポンプ軸（回転軸）
３      羽根車
５      ポンプケーシング
６      モータ軸
７      モータ
１２      吸込口
１３      吐出口
２０      軸継手
２１      モータ側フランジ
２２      ポンプ側フランジ
２３      スペーサ
３０      軸封装置
４０      ブラケット
４０ａ    開口
４０ｂ    ねじ穴
４２      フランジ部
４５      保護カバー
４６      胴体
４７      隅肉部
５０      ねじ
５５      台座
５５ａ    端面
１０２    ブラケット
１０２ａ  開口
１０２ｂ  ねじ穴
１０５    胴体
１０６    フランジ部
１０７    隅肉部
１１０    保護カバー
１１２    ねじ
【図１】
2017089569.tif 000003
【図２】
2017089569.tif 000004
【図３】
2017089569.tif 000005
【図４】
2017089569.tif 000006
【図５】
2017089569.tif 000007
【図６】
2017089569.tif 000008
【図７】
2017089569.tif 000009
【図８】
2017089569.tif 000010